(57)【特許請求の範囲】
【請求項１】
各画素に発光素子が形成された画素部を有する発光装置と、
前記発光装置を使用者の身体に固定するための支持部と、
前記画素部を透過する光の焦点と、前記画素部から発せられる光の焦点とを、前記使用者の網膜において一致させるための光学系と、
信号の送受を行なうためのアンテナと、
ＧＰＳ衛星から発信されるＧＰＳ信号に処理を施すための受信回路と、
前記ＧＰＳ信号から位置情報を算出する演算回路と、
方角を検知する手段と、を有し、
前記発光素子が有する一対の電極は透光性を有しており、
前記支持部により、前記使用者の視軸と前記画素部とが交差するように、前記発光装置を固定し、
前記位置情報と、前記方角を検知する手段からの方角情報とから、前記使用者が向いている方向に存在する区域が特定され、
前記区域に関する情報が前記発光装置に表示され、
前記使用者は、前記区域または前記区域に存在する対象物と、前記区域に関する情報とを共に重ねて見ることができ、
前記位置情報は、緯度、経度の情報であり、
前記ＧＰＳ信号または前記位置情報をデータとして記憶するためのメモリを有することを特徴とする表示装置。
【発明の詳細な説明】
【技術分野】
【０００１】
本発明は、発光素子を用いた表示装置及び該表示装置を用いた通信システムに関する。
【背景技術】
【０００２】
ゴーグル型表示装置は、使用者の身体に装着した状態で携帯が可能であることに特徴を有しており、場所を選ばず、なおかつ両手の自由が束縛されることなく、視覚を通して情報が得られるというメリットを有する。ゴーグル型表示装置は、フェイスマウント型ディスプレイ、ヘッドマウント型ディスプレイとよばれることもある。現在実用化されているゴーグル型表示装置には、液晶表示装置（ＬＣＤ）を用いて映像を表示するタイプのものがある。
【０００３】
そして近年では、液晶表示装置を用いたゴーグル型表示装置の他に、自発光型の発光装置を用いて映像を表示することができるゴーグル型表示装置が提案されている。発光素子を用いた発光装置は、自ら発光するため視認性が高く、液晶表示装置とは異なりバックライトが要らず、光学系をよりシンプルにすることが容易であり、ゴーグル型表示装置の小型化に適している。また液晶表示装置や発光装置などを用いずに、直接人間の網膜にレーザ光などで映像を書き込むことで、映像を視認させることができるゴーグル型表示装置も提案されている。
【発明の開示】
【発明が解決しようとする課題】
【０００４】
上述したように、液晶表示装置を用いたゴーグル型表示装置の他に、発光装置を用いたゴーグル型表示装置、網膜に直接映像を書き込むゴーグル型表示装置などのように、様々な形態のゴーグル型表示装置が提案されている。しかし、いずれのゴーグル型表示装置も、使用している際に、使用者の視野が妨げられるという問題があった。
【０００５】
すなわち、液晶表示装置や発光装置を用いたゴーグル型表示装置の場合、使用者は、視野のうち、液晶表示装置または発光装置によって映像が表示されているエリアにおいて、使用者自身の周辺の景色を見ることができずにいた。そのため、使用者の行動が制限され、両手を自由に使えるというゴーグル型表示装置のメリットをいまいち生かしきれなかった。
【０００６】
網膜に直接映像を書き込むゴーグル型表示装置でも、網膜のうち映像が書き込まれている部分では、使用者自身の周辺の景色を光として感じることが難しく、よって、視野のうち映像が表示されているエリアにおいて、使用者自身の周辺の景色を見ることが困難であった。さらに網膜に直接映像を書き込むゴーグル型表示装置では、光の三原色の１つである緑色のレーザダイオードが実用化されておらず、フルカラーの映像の表示が難しいという問題を有している。
【０００７】
なお光学系に工夫を凝らすことで、ゴーグル型表示装置によって人為的に表示される映像と、使用者自身の周辺の景色とを、共に使用者に視認させることは不可能ではないと考えられる。しかしこの場合、光学系の設計に高度な技術が要求される。
【０００８】
また、ＧＰＳ（Ｇｌｏｂａｌ  Ｐｏｓｉｔｉｏｎｉｎｇ  Ｓｙｓｔｅｍ）を用いて対象物の現在位置に関する情報を得て、該情報を表示装置に表示するナビゲーションシステムは、近年開発が著しく進んでいる。車載用のナビゲーションシステム（カーナビゲーション）などは実用化されてから既に久しく、現在世の中に広く普及されている。しかしカーナビゲーションに代表される従来のナビゲーションシステムは、使用者が表示装置に視線を落とした際に、使用者自身を取り巻く周辺の状況に注意を払うことが困難になってしまうという問題があった。
【０００９】
特に、このナビゲーションシステムをゴーグル型表示装置に適用した場合、周辺の景色のうち、ゴーグル型表示装置によって映像が表示されている領域と重なるエリアは、使用者から見えない。よって、周囲に注意を払わなくてはならない状況下においての使用には不向きである。また、ナビゲーションシステムによって情報を得ても、周辺の状況を確認したり移動したりする際には、結局ゴーグル型表示装置を取り外すことになる。よって、脱着を頻繁に行なう必要があり、非常に使い勝手が悪く、わざわざナビゲーションシステムをゴーグル型表示装置に適用することのメリットが見出せなかった。
【００１０】
本発明は上述した問題に鑑み、人為的に表示される映像によって視野を完全に妨げることなく、なおかつ光学系の設計が容易であるゴーグル型表示装置の提供を課題とする。さらに本発明は、該ゴーグル型表示装置を用い、視覚により新たな情報を得ることができる通信システムの提供を課題とする。
【課題を解決するための手段】
【００１１】
本発明では、映像を表示することができ、なおかつ光を透過することができる発光装置をゴーグル型表示装置に用いることで、映像の表示と、視野の確保の両立を可能にする。具体的に本発明では、外光が透過するように、発光素子が有する一対の電極に透光性を持たせる。そして、使用者の視軸と、発光装置の画素部とを交差させることで、外光と画素部から発せられる光とを、共に使用者の眼球内に入射させることができる。
【００１２】
つまり、本発明のゴーグル型表示装置は、各画素に発光素子が形成された画素部を有する発光装置と、該発光装置を使用者の身体に固定するための支持部とを有し、前記発光素子が有する一対の電極は透光性を有しており、前記支持部により、使用者の視軸と前記画素部とが交差するような位置に、前記発光装置を固定することができることを特徴とする。そして本発明のゴーグル型表示装置は、前記画素部を透過する光の焦点と、該発光装置から発せられる光の焦点とを、前記使用者の網膜において一致させるための光学系をさらに有していても良い。
【００１３】
なお、発光素子の１つであるＯＬＥＤ（Ｏｒｇａｎｉｃ  Ｌｉｇｈｔ  Ｅｍｉｔｔｉｎｇ  Ｄｉｏｄｅ）は、電場を加えることでルミネッセンス（Ｅｌｅｃｔｒｏｌｕｍｉｎｅｓｃｅｎｃｅ）が得られる電界発光材料を含む層（以下、電界発光層と記す）と、陽極及び陰極の２つの電極とを有している。
【００１４】
また本発明は、本発明の上記ゴーグル型表示装置にナビゲーションシステムを適用した通信システムを提供することができる。本発明の通信システムによって、使用者は、ＧＰＳにより取得した対象物の位置情報と、または更に該位置情報から得られる対象物に関する情報とを、ゴーグル型表示装置から得ると同時に、使用者自身の周辺の景色をも見ることができる。なお、ゴーグル型表示装置は使用者の頭部に発光装置を固定することができる表示装置を意味する。
【発明の効果】
【００１５】
本発明により、光学系を複雑にすることなく、人為的に表示される映像と、使用者自身の周辺の景色とを、共に使用者に視認させることが可能な、ゴーグル型表示装置を提供することができる。よって、ゴーグル型表示装置を使用している際に、使用者が、使用者自身を取り巻く周辺の状況に注意を払いやすくなり、ゴーグル型表示装置の用途の可能性を飛躍的に広げることができる。また、上記構成を有する本発明のゴーグル型表示装置を用いることで、上述した通信システムを実現させることができる。
【００１６】
また本発明の通信システムにより、対象物と、該対象物に関する情報を含む映像とを同時に重ねて見ることが可能である。よって、対象物と、該対象物に関する情報とを照らし合わせることが容易になる。そして、ゴーグル型表示装置を取り外さなくても周辺の景色を見ることができるので、通信システムの使用に際し、ゴーグル型表示装置の脱着を頻繁に行なう必要がない。よって使い勝手を飛躍的に向上させることができる。
【発明を実施するための最良の形態】
【００１７】
図１（Ａ）に、本発明のゴーグル型表示装置の一形態を、斜視図で示す。１０１は発光装置であり、図１（Ａ）に示すゴーグル型表示装置では、右眼用と左目用を２つ有している。なお本発明のゴーグル型表示装置が有する発光装置の数はこれに限定されない。発光装置を片目用に１つだけ有していても良いし、両眼で見ることができる発光装置を１つ有していても良い。
【００１８】
発光装置１０１は、複数の発光素子が形成された画素部１０３を有している。また本発明のゴーグル型表示装置は、画素部１０３が使用者の視軸と交差するように、発光装置１０１を使用者の身体に固定することができる支持部１０２ａ、１０２ｂを有している。なお図１（Ａ）では、使用者の頭部と耳に発光装置１０１を固定するタイプの支持部１０２ａ、１０２ｂを示しているが、本発明において支持部の形態はこれに限定されない。支持部は、発光装置１０１を頭部自体に固定するタイプであっても良いし、使用者の身体のうち、頭部以外の部分に固定するタイプであっても良い。
【００１９】
また図１（Ａ）では、発光装置１０１が筐体１０４内に納められている。筐体１０４は、画素部１０３と重なる部分において、光を透過するようになっている。なお本発明のゴーグル型表示装置は、必ずしも発光装置を納めるための筐体を有している必要はなく、発光装置が剥き出しの状態であっても良い。
【００２０】
また本発明のゴーグル型表示装置は、マイクロフォンや、電流を受けて音波を発生する変換器を有していても良い。図１（Ａ）では、イヤフォン１０８を有しているゴーグル型表示装置の例を示している。また発光装置の動作は、リモートコントロールにより制御しても良いし、ゴーグル型表示装置に設けた操作キーなどにより制御しても良い。
【００２１】
また図１（Ａ）に示すゴーグル型表示装置は、画素部を透過する光の焦点と、該発光装置から発せられる光の焦点とを、前記使用者の網膜において一致させるための光学系を有していても良い。上記光学系を用いることで、使用者の周辺の景色と、ゴーグル型表示装置によって人為的に表示される映像とを、共に明確に使用者の目に映すことができる。
【００２２】
発光装置１０１と、光学系と、使用者の視軸との位置関係をより明確にするために、図１（Ａ）に示すゴーグル型表示装置が光学系を有している場合の断面図を、図１（Ｂ）に示す。図１（Ｂ）において、１０６は、使用者の眼球１０７から対象物に対して向かっている視軸に相当する。なお図１（Ｂ）では、２組の光学系１０５ａ、１０５ｂを有する形態を示しており、視軸１０６が、使用者の眼球１０７に近い側から、光学系１０５ａ、発光装置１０１、光学系１０５ｂと順に交差している。
【００２３】
図１（Ｂ）では、２つの光学系１０５ａ、１０５ｂを設けた場合について示しているが、本発明はこの構成に限定されない。光学系１０５ａ、１０５ｂのうちいずれか一方を有していても良い。また本発明において、光学系は必ずしも設ける必要はない。図２に、光学系を設けない場合のゴーグル型表示装置の斜視図を示す。図２において、２０１は発光装置であり、筐体２０４の中に納められている。また２０２は支持部に相当する。図２に示すゴーグル型表示装置のように、焦点を合わせるための光学系を敢えて設けないことで、ゴーグル型表示装置を小型化し、コストを抑えることができる。
【００２４】
次に、本発明のゴーグル型表示装置に用いられる、発光装置の構成について説明する。なお発光装置は、画素部が設けられたパネルと、該パネルにＩＣを実装したモジュールとの、両方の形態を含む。図３（Ａ）に、モジュールに相当する、発光装置上面図を示す。
【００２５】
図３（Ａ）に示す発光装置は、パネル３００と、パネル３００に実装されたプリント配線基板３０１とを有している。パネル３００には、発光素子が各画素に設けられた画素部３０２と、前記画素部３０２が有する画素を選択する走査線駆動回路３０３と、選択された画素にビデオ信号を供給する信号線駆動回路３０４とが設けられている。
【００２６】
なお図３（Ａ）では、走査線駆動回路３０３、信号線駆動回路３０４が、画素部３０２と同じ基板上に形成されているが、本発明はこの構成に限定されない。走査線駆動回路３０３及び信号線駆動回路３０４の一部または全てを別途用意した基板に形成し、パネル３００に実装するようにしても良い。この場合、ＴＡＢ方式やＣＯＧ方式で実装しても良い。
【００２７】
プリント配線基板３０１には、パネル３００に供給する信号または電源電圧を生成するための各種回路が実装されている。なお、ゴーグル型表示装置を本発明の通信システムに用いる場合、アンテナで送受する各種信号に処理を施す送受信回路と、該送受信回路によって処理が施されたＧＰＳ信号を用いて位置情報を算出するための演算回路と、施されたＧＰＳ信号及び該位置情報をデータとして記憶するためのメモリなども、上記発光装置のモジュールに搭載しても良い。
【００２８】
図３（Ａ）では、ゴーグル型表示装置を本発明の通信システムに用いる場合に、プリント配線基板３０１に実装される各種回路を示しており、具体的にはコントローラ３０５、演算回路を含むＣＰＵ３０６、メモリ３０７、電源回路３０８、送受信回路３０９や、その他、抵抗、バッファ、容量素子等の素子が実装されている。なおパネル３００に実装する各種回路は、上記組み合わせに限定されない。また図３（Ａ）に示す回路のうち、コントローラ３０５、ＣＰＵ３０６、メモリ３０７、電源回路３０８などを、パネル３００に形成しても良い。
【００２９】
なお図３（Ａ）では、パネル３００がＦＰＣ３１６を介してプリント配線基板３０１に接続されているが、本発明の発光装置の形態はこれに限定されない。例えばパネル３００の動作を制御するための各種回路を、ＣＯＧ法を用いて直接パネル３００に実装するようにしても良い。
【００３０】
電源電圧及び各種信号は、複数の入力端子が配置されたプリント配線基板用のインターフェース（Ｉ／Ｆ）部３１０を介してプリント配線基板３０１に供給される。また、アンテナとの間の信号の送受信を行なうためのアンテナ用ポート３１１が、プリント配線基板３０１に設けられている。
【００３１】
なおプリント配線基板３０１において、引きまわしの配線間に形成される容量や配線自体が有する抵抗等によって、電源電圧や信号にノイズがのったり、信号の立ち上がりが鈍ったりすることがある。そこで、プリント配線基板３０１に容量素子、バッファ等の各種素子を設けることで、電源電圧や信号にノイズがのったり、信号の立ち上がりが鈍ったりするのを防ぐことができる。
【００３２】
図３（Ｂ）に、図３（Ａ）に示したモジュールのブロック図を示す。
【００３３】
本実施例では、メモリ３０７としてＶＲＡＭ３１２、ＤＲＡＭ３１３、フラッシュメモリ３１４などが含まれている。ＶＲＡＭ３１２、ＤＲＡＭ３１３にはパネルに表示する画像のデータが、フラッシュメモリ３１４には各種プログラムが記憶されている。
【００３４】
電源回路３０８では、パネル３００、コントローラ３０５、ＣＰＵ３０６、メモリ３０７、送受信回路３０９に与える電源電圧が生成される。またパネル３００の仕様によっては、電源回路３０８に電流源が備えられている場合もある。
【００３５】
パネル３００の動作を制御するための信号（制御信号）は、リモートコントロールまたは操作キーによってゴーグル型表示装置に入力される。具体的に該制御信号は、インターフェース３１０を介してプリント配線基板３０１に実装されたＣＰＵ３０６に送られる。ＣＰＵ３０６では、制御信号に従い、ＶＲＡＭ３１２またはＤＲＡＭ３１３に格納してある画像データを所定のフォーマットに変換してコントローラ３０５に送ることができる。
【００３６】
コントローラ３０５は、パネル３００の仕様に合わせてＣＰＵ３０６から送られてきた画像データを含む信号にデータ処理を施し、パネル３００に供給する。またコントローラ３０５は、電源回路３０８から入力された電源電圧やＣＰＵから入力された各種信号をもとに、Ｈｓｙｎｃ信号、Ｖｓｙｎｃ信号、クロック信号ＣＬＫ、交流電圧（ＡＣ  Ｃｏｎｔ）、切り替え信号Ｌ／Ｒを生成し、パネル３００に供給する。
【００３７】
送受信回路３０９では、アンテナ３１５において電波として送受信される信号が処理されており、具体的にはアイソレータ、バンドパスフィルタ、ＶＣＯ（Ｖｏｌｔａｇｅ  Ｃｏｎｔｒｏｌｌｅｄ  Ｏｓｃｉｌｌａｔｏｒ）、ＬＰＦ（Ｌｏｗ  Ｐａｓｓ  Ｆｉｌｔｅｒ）、カプラ、バランなどの高周波回路を含んでいる。
【００３８】
なお図３に示すモジュールは、測位用の人工衛星（ＧＰＳ衛星）から発信されるＧＰＳ信号に処理を施すための専用の受信回路を有していても良い。
【００３９】
次に、本発明のゴーグル型表示装置に用いられる、発光装置の画素部の拡大図を図４に示す。図４において４０１は画素部に相当し、複数の画素４０２が形成されている。各画素４０２には発光素子が設けられており、該発光素子は、透光性を有する電極を陽極、陰極として用いている。よって、矢印で示すように画素４０２において光を透過するため、画素部４０１の向こう側が透けて見える状態にある。そして発光素子から発せられた光は、画素部４０１の両面から発せられる。
【００４０】
次に図５を用いて、発光素子の構成について説明する。本発明における発光素子の素子構成を、図５（Ａ）に模式的に示す。
【００４１】
図５（Ａ）に示す発光素子は、基板５００上に形成された第１の電極（陽極）５０１と、第１の電極５０１上に形成された電界発光層５０２と、電界発光層５０２上に形成された第２の電極（陰極）５０３とを有する。なお実際には、基板５００と第１の電極５０１の間には、各種の層または半導体素子などが設けられている。
【００４２】
第１の電極５０１は陽極に相当するので、仕事関数の大きい導電性材料を用いることが好ましい。例えば、透光性を有する酸化物を用いた導電材料（透光性酸化物導電材料）、例えば酸化インジウムスズ（ＩＴＯ）、酸化亜鉛（ＺｎＯ）、酸化インジウム亜鉛（ＩＺＯ）、ガリウムを添加した酸化亜鉛（ＧＺＯ）、酸化珪素を含むインジウム−スズ酸化物（ＩＴＳＯ）等を用いることができる。また例えばＴｉＮ、ＺｒＮ、Ｔｉ、Ｗ、Ｎｉ、Ｐｔ、Ｃｒ、Ａｇ、Ａｌ等を、光が透過する程度の膜厚（５ｎｍ〜３０ｎｍ程度）で形成し、第１の電極５０１として用いても良い。ただしこの場合、第１の電極５０１のシート抵抗を下げるために、透光性酸化物導電材料で形成した導電膜と積層しても良い。
【００４３】
第２の電極５０３は陰極に相当するので、仕事関数の小さい金属、合金、電気伝導性化合物、およびこれらの混合物などを、光が透過する程度の膜厚で形成し、第２の電極５０３として用いることができる。具体的には、ＬｉやＣｓ等のアルカリ金属、およびＭｇ、Ｃａ、Ｓｒ等のアルカリ土類金属、およびこれらを含む合金（Ｍｇ：Ａｇ、Ａｌ：Ｌｉなど）の他、ＹｂやＥｒ等の希土類金属を用い、５ｎｍ〜３０ｎｍ程度の膜厚で第２の電極５０３を形成することができる。また電子注入層として機能する第５の層５０８を設ける場合、Ａｌ、透光性酸化物導電材料などを、第２の電極５０３に用いることも可能である。ただし、透光性を有していないＡｌなどの材料の場合は、光が透過する程度の膜厚で形成する。なお、５ｎｍ〜３０ｎｍ程度の膜厚で第２の電極５０３を形成する場合、該第２の電極５０３上に透光性酸化物導電材料を用いて透光性を有する導電層を形成し、第２の電極５０３のシート抵抗を抑えるようにしても良い。
【００４４】
第１の電極５０１及び第２の電極５０３に透光性を持たせることで、発光素子において外光を透過させることができる。
【００４５】
そして電界発光層５０２は複数の層で構成されており、これらの層は、キャリア輸送特性の観点から正孔注入層、正孔輸送層、発光層、電子輸送層、電子注入層などに分類することができる。正孔注入層と正孔輸送層との区別は必ずしも厳密なものではなく、これらは正孔輸送性（正孔移動度）が特に重要な特性である意味において同じである。便宜上正孔注入層は陽極に接する側の層であり、正孔注入層に接する層を正孔輸送層と呼んで区別する。電子輸送層、電子注入層についても同様であり、陰極に接する層を電子注入層と呼び、電子注入層に接する層を電子輸送層と呼んでいる。発光層は電子輸送層を兼ねる場合もあり、発光性電子輸送層とも呼ばれる。図５（Ａ）では、第１〜第５の層５０４〜５０８を電界発光層５０２が有している場合を例示している。第１〜第５の層５０４〜５０８は、第１の電極５０１から第２の電極５０３に向かって順に積層されている、
【００４６】
第１の層５０４は、正孔注入層として機能するため、正孔輸送性を有し、なおかつイオン化ポテンシャルが比較的小さく、正孔注入性が高い材料を用いるのが望ましい。大別すると金属酸化物、低分子系有機化合物、および高分子系有機化合物に分けられる。金属酸化物であれば、例えば、酸化バナジウム、酸化モリブデン、酸化ルテニウム、酸化アルミニウムなど用いることができる。低分子系有機化合物あれば、例えば、ｍ−ＭＴＤＡＴＡに代表されるスターバースト型アミン、銅フタロシアニン（略称：Ｃｕ−Ｐｃ）に代表される金属フタロシアニン、フタロシアニン（略称：Ｈ2−Ｐｃ）、２，３−ジオキシエチレンチオフェン誘導体などを用いることができる。低分子系有機化合物と上記金属酸化物とを共蒸着させた膜であっても良い。高分子系有機化合物であれば、例えば、ポリアニリン（略称：ＰＡｎｉ）、ポリビニルカルバゾール（略称：ＰＶＫ）、ポリチオフェン誘導体などの高分子を用いることができる。ポリチオフェン誘導体の一つであるポリエチレンジオキシチオフェン（略称：ＰＥＤＯＴ）にポリスチレンスルホン酸（略称：ＰＳＳ）をドープしたものを用いても良い。また、ベンゾオキサゾール誘導体と、ＴＣＱｎ、ＦｅＣｌ3、Ｃ60またはＦ4ＴＣＮＱのいずれか一または複数の材料とを併せて用いても良い。
【００４７】
第２の層５０５は、正孔輸送層として機能するため、正孔輸送性が高く、結晶性の低い公知の材料を用いることが望ましい。具体的には芳香族アミン系（すなわち、ベンゼン環−窒素の結合を有するもの）の化合物が好適であり、例えば、４，４−ビス［Ｎ−（３−メチルフェニル）−Ｎ−フェニルアミノ］ビフェニル（ＴＰＤ）や、その誘導体である４，４’−ビス［Ｎ−（１−ナフチル）−Ｎ−フェニル−アミノ］ビフェニル（α−ＮＰＤ）などがある。４，４’，４’’−トリス（Ｎ，Ｎ−ジフェニルアミノ）トリフェニルアミン（ＴＤＡＴＡ）や、ＭＴＤＡＴＡなどのスターバースト型芳香族アミン化合物も用いることができる。また４，４’，４’’−トリス（Ｎ−カルバゾリル）トリフェニルアミン（略称：ＴＣＴＡ）を用いても良い。また高分子材料としては、良好な正孔輸送性を示すポリ（ビニルカルバゾール）などを用いることができる。
【００４８】
第３の層５０６は発光層として機能するため、イオン化ポテンシャルが大きく、かつバンドギャップの大きな材料を用いるのが望ましい。具体的には、例えば、トリス（８−キノリノラト）アルミニウム（Ａｌｑ3）、トリス（４−メチル−８−キノリノラト）アルミニウム（Ａｌｍｑ3）、ビス（１０−ヒドロキシベンゾ［η］−キノリナト）ベリリウム（ＢｅＢｑ2）、ビス（２−メチル−８−キノリノラト）−（４−ヒドロキシ−ビフェニリル）−アルミニウム（ＢＡｌｑ）、ビス［２−（２−ヒドロキシフェニル）−ベンゾオキサゾラト］亜鉛（Ｚｎ（ＢＯＸ）2）、ビス［２−（２−ヒドロキシフェニル）−ベンゾチアゾラト］亜鉛（Ｚｎ（ＢＴＺ）2）などの金属錯体を用いることができる。また、各種蛍光色素（クマリン誘導体、キナクリドン誘導体、ルブレン、４，４−ジシアノメチレン、１−ピロン誘導体、スチルベン誘導体、各種縮合芳香族化合物など）も用いることができる。白金オクタエチルポルフィリン錯体、トリス（フェニルピリジン）イリジウム錯体、トリス（ベンジリデンアセトナート）フェナントレンユーロピウム錯体などの燐光材料も用いることができる。
【００４９】
また、第３の層５０６に用いるホスト材料としては、上述した例に代表されるホール輸送材料や電子輸送材料を用いることができる。また、４，４’−Ｎ，Ｎ’−ジカルバゾリルビフェニル（略称：ＣＢＰ）などのバイポーラ性の材料も用いることができる。
【００５０】
第４の層５０７は電子輸送層として機能するため、電子輸送性の高い材料を用いることが望ましい。具体的には、Ａｌｑ3に代表されるような、キノリン骨格またはベンゾキノリン骨格を有する金属錯体やその混合配位子錯体などを用いることができる。具体的には、Ａｌｑ3、Ａｌｍｑ3、ＢｅＢｑ2、ＢＡｌｑ、Ｚｎ（ＢＯＸ）2、Ｚｎ（ＢＴＺ）2などの金属錯体が挙げられる。さらに、金属錯体以外にも、２−（４−ビフェニリル）−５−（４−ｔｅｒｔ−ブチルフェニル）−１，３，４−オキサジアゾール（ＰＢＤ）、１，３−ビス［５−（ｐ−ｔｅｒｔ−ブチルフェニル）−１，３，４−オキサジアゾール−２−イル］ベンゼン（ＯＸＤ−７）などのオキサジアゾール誘導体、３−（４−ｔｅｒｔ−ブチルフェニル）−４−フェニル−５−（４−ビフェニリル）−１，２，４−トリアゾール（ＴＡＺ）、３−（４−ｔｅｒｔ−ブチルフェニル）−４−（４−エチルフェニル）−５−（４−ビフェニリル）−１，２，４−トリアゾール（ｐ−ＥｔＴＡＺ）などのトリアゾール誘導体、ＴＰＢＩのようなイミダゾール誘導体、バソフェナントロリン（ＢＰｈｅｎ）、バソキュプロイン（ＢＣＰ）などのフェナントロリン誘導体を用いることができる。
【００５１】
第５の層５０８は電子注入層として機能するため、電子注入性の高い材料を用いるのが望ましい。具体的には、ＬｉＦ、ＣｓＦなどのアルカリ金属ハロゲン化物や、ＣａＦ2のようなアルカリ土類ハロゲン化物、Ｌｉ2Ｏなどのアルカリ金属酸化物のような絶縁体の超薄膜がよく用いられる。また、リチウムアセチルアセトネート（略称：Ｌｉ（ａｃａｃ）や８−キノリノラト−リチウム（略称：Ｌｉｑ）などのアルカリ金属錯体も有効である。また、モリブデン酸化物（ＭｏＯｘ）やバナジウム酸化物（ＶＯｘ）、ルテニウム酸化物（ＲｕＯｘ）、タングステン酸化物（ＷＯｘ）等の金属酸化物またはベンゾオキサゾール誘導体と、アルカリ金属、アルカリ土類金属、または遷移金属のいずれか一または複数の材料とを含むようにしても良い。
【００５２】
上記構成を有する発光素子において、第１の電極５０１と第２の電極５０３の間に電圧を印加し、電界発光層５０２に順方向バイアスの電流を供給することで、第３の層５０６から光を発生させ、該光を第１の電極５０１側と第２の電極５０３側から取り出すことができる。なお、電界発光層５０２は、必ずしもこれら第１〜第５の層を全て有している必要はない。本発明では、少なくとも発光層として機能する第３の層５０６を有していれば良い。また必ずしも第３の層５０６からのみ発光が得られるわけではなく、第１〜第５の層に用いられる材料の組み合わせによっては、第３の層５０６以外の層から発光が得られる場合もある。また、第３の層５０６と第４の層５０７の間に正孔ブロック層を設けても良い。
【００５３】
なお色によっては、燐光材料の方が蛍光材料よりも、駆動電圧を低くすることができ、信頼性も高い場合がある。そこで、三原色の各色に対応する発光素子を用いて、フルカラーの表示を行なう場合は、蛍光材料を用いた発光素子と、燐光材料を用いた発光素子とを組み合わせて、各色の発光素子における劣化の度合いを揃えるようにしても良い。
【００５４】
図５（Ａ）では、第１の電極５０１が第２の電極５０３よりも基板５００側に近い場合の発光素子の構成を示しているが、本発明では、第２の電極５０３が第１の電極５０１よりも基板５００側に近くなるように形成されていても良い。この場合、図５（Ｂ）に示すように、基板５００上に第２の電極５０３が形成されており、第２の電極５０３上に電界発光層５０２が形成されており、電界発光層５０２上に第１の電極５０１が形成されている。そして、電界発光層５０２が有する第１〜第５の層５０４〜５０８は、第２の電極５０３から第１の電極５０１に向かって順に積層されている。図５（Ｂ）では、図５（Ａ）において既に示したものに同じ符号を付して示す。実際には、図５（Ｂ）において、基板５００と第２の電極５０３の間に、各種の層または半導体素子などが設けられている。
【００５５】
次に、本発明の通信システムについて説明する。
【００５６】
本発明の通信システムに用いられるゴーグル型表示装置は、発光装置と、信号の送受を行なうためのアンテナと、ＧＰＳ衛星から発信されるＧＰＳ信号を受信し処理を施すための受信回路と、該ＧＰＳ信号から緯度、経度などの位置情報を算出する演算回路とを有する。さらに上記手段の他に、ＧＰＳ信号以外の各種信号に処理を施すための送受信回路を有していても良い。なおこの送受信回路によって、ＧＰＳ信号に処理を施すことができるのであれば、送受信回路が上記受信回路を兼ねていても良い。また本発明のゴーグル型表示装置は、方位センサやジャイロなどによってさらに方角を検知することで、ゴーグル型表示装置自身の向きを検知する手段とを有していても良い。
【００５７】
図６（Ａ）に、本発明の通信システムの一形態における信号の流れを、模式的に示す。図６（Ａ）において、６０１は本発明のゴーグル型表示装置、６０２は移動体（ここでは自動車を例示している）、６０３はＧＰＳ衛星、６０４は無線基地局、６０５はデータベース、６０６は通信衛星に相当する。
【００５８】
ゴーグル型表示装置６０１は、複数のＧＰＳ衛星６０３からのＧＰＳ信号を受信し、該ＧＰＳ信号を用いて位置情報を算出する。算出されたゴーグル型表示装置６０１の位置情報は、通信衛星６０６を介して無線基地局６０４に送信される。なお図６（Ａ）では、ゴーグル型表示装置６０１と無線基地局６０４の間における信号の送受を、通信衛星６０６を介して行なっているが、本発明はこの構成に限定されない。無線基地局６０４と直接行なっても良いし、地上に設置されたアンテナを介して行なっても良い。
【００５９】
一方、移動体６０２は、ゴーグル型表示装置６０１と同様に、複数のＧＰＳ衛星６０３からのＧＰＳ信号を受信し、該ＧＰＳ信号を用いて位置情報を算出する。そして、算出された移動体６０２の位置情報は、通信衛星６０６を介して無線基地局６０４に送信される。なお位置情報の無線基地局６０４への送信の経路は、これに限定されない。
【００６０】
無線基地局６０４では、受信したゴーグル型表示装置６０１の位置情報を用い、当該位置情報に関連する各種の情報を、データベース６０５から引き出す。なお、ゴーグル型表示装置６０１の位置情報から得られる情報は、予めデータベース６０５に蓄積された情報ではなく、インターネットを介して得られる情報であっても良い。位置情報に関連する情報とは、例えばゴーグル型表示装置６０１の周辺における建物、道路、気候などが挙げられる。また無線基地局６０４では、受信した移動体６０２の位置情報を用い、該位置情報に関連する各種の情報を、データベース６０５から引き出しても良い。また、図６（Ａ）では、ＧＰＳ信号を用いて算出させる情報として位置情報を挙げたが、本発明ではその他様々な情報であっても良い。例えば、環境情報のようなリアルタイムで変動する情報をインターネット等を介して得る場合、データベースに新たな情報をインプットすることが可能である。
【００６１】
無線基地局６０４は、これらの引き出された位置情報に関連する情報と、移動体６０２の位置情報とを、ゴーグル型表示装置６０１に送信する。ゴーグル型表示装置６０１は、受信した情報を発光装置に表示する。
【００６２】
ゴーグル型表示装置６０１の位置情報によって使用者は、自己の位置とそれに関する情報を得ることができる。さらに移動体６０２の情報を付加することで、使用者の周辺に存在する移動体６０２の情報を得ることができ、危険を回避することなどが可能になる。
【００６３】
なお図６（Ａ）では、移動体６０２の位置情報と、データベース６０５から引き出された位置情報に関連する情報とを、共にゴーグル型表示装置６０１において表示する例について説明したが、これらの情報は、必ず両方必要なわけではない。図６（Ｂ）に、移動体６０２の位置情報は受信せず、ゴーグル型表示装置の位置情報に関連する情報のみを用いる場合の、本発明の通信システムの一形態における信号の流れを、模式的に示す。
【００６４】
図６（Ｂ）では、ゴーグル型表示装置６０１は、無線基地局６０４から、ゴーグル型表示装置の位置情報に関連する情報のみを受信し、それを表示することができる。なお図６（Ａ）、図６（Ｂ）とは異なり、本発明では、ゴーグル型表示装置の位置情報に関連する情報は受信せず、移動体６０２の位置情報のみを受信するようにしても良い。
【００６５】
また本発明の通信システムでは、ゴーグル型表示装置６０１と移動体６０２との間で、位置情報を直接送受しても良い。図６（Ｃ）に、互いの位置情報を直接送受する場合の、本発明の通信システムの一形態における信号の流れを、模式的に示す。図６（Ｃ）では、ＧＰＳ衛星６０３から得たＧＰＳ信号を用いて、ゴーグル型表示装置６０１と移動体６０２とが、それぞれ自身の位置情報を取得する。そして、ゴーグル型表示装置６０１は移動体６０２の位置情報を受信し、自身の位置情報と、移動体６０２の位置情報とを、共に発光装置に表示する。なおゴーグル型表示装置６０１の位置情報を移動体６０２に送信するようにしても良い。
【００６６】
また図６（Ｃ）では、移動体６０２の位置情報をゴーグル型表示装置６０１が受信しているが、移動体６０２から得られる情報は位置情報に限定されない。例えば、赤外線などを用いたセンサで、直接移動体６０２そのものの存在を確認できるようにしても良い。この場合移動体６０２は静止物であっても良い。赤外線センサなどを用いることで、夜間でも容易に移動体６０２の存在を認識するなど、視覚の能力を補強することができる。
【実施例１】
【００６７】
本実施例では、本発明のゴーグル型表示装置に用いられる光学系の、具体的な構成について説明する。
【００６８】
本発明のゴーグル型表示装置に用いられる光学系は、パネルと使用者の眼球の間に設けられる第１の光学系と、パネルを挟んで眼球の反対側に設けられる第２の光学系とに分類される。図７に、使用者の眼球７０１と、第１の光学系７０２と、パネル７０３と、第２の光学系７０４との視軸方向における位置関係を示す。
【００６９】
図７では、第１の光学系７０２として凸レンズ７０５を用いている。また第２の光学系７０４として、２つの凸レンズ７０６、７０７を用いている。凸レンズ７０６に入射した外光は、凸レンズ７０７、パネル７０３、凸レンズ７０５を順に透過し、最終的に眼球７０１に入射する。そして、凸レンズ７０６の焦点は凸レンズ７０６と凸レンズ７０７の間に結ばれており、凸レンズ７０７の焦点はパネル７０３において結ばれている。そして凸レンズ７０５から眼球７０１の水晶体７０８に入射した光は、望ましくは眼球７０１の網膜７０９において焦点を結ぶ。
【００７０】
このようにパネル７０３において外光が焦点を結ぶことで、外光と、パネル７０３から発せられた光とが、共に網膜７０９において焦点を結ぶことができる。従って使用者は、外の景色とパネルに表示された映像とを、共に明確に視認することができる。
【００７１】
なお本発明は必ずしも光学系を設ける必要はない。また第１の光学系７０２のみを用い、外の景色の明確さよりも、パネル７０３に表示される映像の明確さを優先させても良い。
【実施例２】
【００７２】
本実施例では、本発明の通信システムの一実施例について、具体的に説明する。
【００７３】
本発明のゴーグル型表示装置が、ゴーグル型表示装置自身の向きを検知する手段を有している場合、自身の位置情報に加え、向きに関する情報を得ることができる。そして、ゴーグル型表示装置の位置情報と、向きに関する情報とを用い、ゴーグル型表示装置が向いている方向に存在する区域を特定し、データベースと照合することで、該区域に関する情報、例えば該区域内の建造物に関する情報、該区域の住所など、を得ることができる。
【００７４】
図８（Ａ）に示すように、ゴーグル型表示装置８０１がある特定の地点で、ある特定の方向を向いていたとする。そして、ゴーグル型表示装置８０１は、該地点の位置情報、例えば緯度・経度などを、ＧＰＳ衛星８０２からのＧＰＳ信号によって算出する。またゴーグル型表示装置８０１は、自身が向いている方向を、方位磁石に代表される方位センサや、ジャイロなどを用い特定する。
【００７５】
そしてゴーグル型表示装置８０１は、自身の位置情報と、向きに関する情報とから、ゴーグル型表示装置８０１の向いている方向に存在する区域を特定する。図８（Ｂ）に、ゴーグル型表示装置８０１の位置と、該ゴーグル型表示装置の向いている方向に存在する区域８０３を模式的に示す。
【００７６】
そしてゴーグル型表示装置８０１は、通信衛星やアンテナなどを介して無線基地局と信号の送受を行ない、該区域に関連する情報をデータベースから引き出し、図８（Ｃ）に示すように発光装置に表示することができる。このとき使用者は、該区域に関連する情報と、該区域とを共に重ねて見ることができるので、該区域または該区域に存在する対象物と、該区域に関する情報とを照らし合わせることが容易になる。
【００７７】
なお本実施例では、ゴーグル型表示装置８０１において、該ゴーグル型表示装置８０１の向いている方向に存在する区域を特定しているが、本発明はこの構成に限定されない。例えば、自身の位置情報と、向きに関する情報とを無線基地局に送信し、この２つの情報とデータベースに蓄積されている情報とを照合し、該区域の特定を行なっても良い。
【実施例３】
【００７８】
本実施例では、本発明のゴーグル型表示装置に用いる発光装置の、より具体的な構成について説明する。
【００７９】
図９は、本発明の発光装置における、画素の断面図の一形態である。図９では、基板９００上に、ＴＦＴ９０１〜９０３と、発光素子９０４〜９０６が形成されている。そして、ＴＦＴ９０１によって発光素子９０４への電流の供給が制御されている。また、ＴＦＴ９０２によって発光素子９０５への電流の供給が制御されている。ＴＦＴ９０３によって発光素子９０６への電流の供給が制御されている。
【００８０】
また９０７は、発光素子９０４〜９０６を封止するためのカバー材であり、透光性を有している。カバー材９０７にカラーフィルターが設けられていても良い。
【００８１】
また発光素子９０４は、ＴＦＴ９０１と電気的に接続された陽極９１３と、陽極９１３上に形成された電界発光層９１４と、電界発光層９１４上に形成された陰極９１５を有しており、陽極９１３と、電界発光層９１４と、陰極９１５とが重なっている部分が、発光素子９０４に相当する。
【００８２】
また発光素子９０５は、ＴＦＴ９０２と電気的に接続された陽極９１６と、陽極９１６上に形成された電界発光層９１７と、電界発光層９１７上に形成された陰極９１５を有しており、陽極９１６と、電界発光層９１７と、陰極９１５とが重なっている部分が、発光素子９０５に相当する。
【００８３】
また発光素子９０６は、ＴＦＴ９０３と電気的に接続された陽極９１８と、陽極９１８上に形成された電界発光層９１９と、電界発光層９１９上に形成された陰極９１５を有しており、陽極９１８と、電界発光層９１９と、陰極９１５とが重なっている部分が、発光素子９０６に相当する。
【００８４】
なお図９では、各色に対応する画素ごとに、含まれる電界発光材料または素子構成が異なる電界発光層９１４、９１７、９１９を用いているが、本発明は必ずしもこの構成に限定されない。少なくとも、２つの色に対応する画素において、含まれる電界発光材料または素子構成が互いに異なる電界発光層を用いていれば良い。
【００８５】
そして本発明では、陽極９１３、９１６、９１８と陰極９１５は、透光性を有しており、発光素子９０４、９０５、９０６からの光は、陽極９１３、９１６、９１８側と、陰極９１５側とから取り出すことができる。
【００８６】
なお図９では、陽極を陰極よりも基板９００側に形成しているが、本発明はこの構成に限定されない。陰極を陽極よりも基板９００側に形成しても良い。ただしこの場合、陰極を画素ごとに分離し、陽極を共通に用いるようにする。
【００８７】
また本実施例では、発光素子に電流を供給するためのトランジスタとしてトップゲート型のＴＦＴを用いているが、ボトムゲート型のトランジスタを用いていても良い。またＴＦＴは多結晶半導体、微結晶半導体（セミアモルファス半導体）、アモルファス半導体などを用いていても良い。
【実施例４】
【００８８】
次に、本発明のゴーグル型表示装置に用いられる発光装置の、画素の回路図について、図１０を用いて説明する。図１０（Ａ）は、画素の等価回路図を示したものであり、信号線６１１４、電源線６１１５、６１１７、走査線６１１６、発光素子６１１３、画素へのビデオ信号の入力を制御するＴＦＴ６１１０、発光素子６１１３の両電極間に流れる電流値を制御するＴＦＴ６１１１、該ＴＦＴ６１１１のゲート・ソース間電圧を保持する容量素子６１１２を有する。なお、図１０（Ａ）では、容量素子６１１２を図示したが、ＴＦＴ６１１１のゲート容量や他の寄生容量で賄うことが可能な場合には、設けなくてもよい。
【００８９】
図１０（Ｂ）は、図１０（Ａ）に示した画素に、ＴＦＴ６１１８と走査線６１１９を新たに設けた構成の画素回路である。ＴＦＴ６１１８の配置により、強制的に発光素子６１１３に電流が流れない状態を作ることができるため、全ての画素に対する信号の書き込みを待つことなく、書き込み期間の開始と同時又は直後に点灯期間を開始することができる。従って、デューティ比が向上して、動画の表示は特に良好に行なうことができる。
【００９０】
図１０（Ｃ）は、図１０（Ｂ）に示した画素に、新たにＴＦＴ６１２５と、配線６１２６を設けた画素回路である。本構成では、ＴＦＴ６１２５のゲート電極を一定の電位に保持した配線６１２６に接続することにより、このゲート電極の電位を固定し、なおかつ飽和領域で動作させる。また、ＴＦＴ６１２５と直列に接続させ、線形領域で動作するＴＦＴ６１１１のゲート電極には、ＴＦＴ６１１０を介して、画素の点灯又は非点灯の情報を伝えるビデオ信号を入力する。線形領域で動作するＴＦＴ６１１１のソース・ドレイン間電圧の値は小さいため、ＴＦＴ６１１１のゲート・ソース間電圧の僅かな変動は、発光素子６１１３に流れる電流値には影響を及ぼさない。従って、発光素子６１１３に流れる電流値は、飽和領域で動作するＴＦＴ６１２５により決定される。上記構成を有する本発明は、ＴＦＴ６１２５の特性バラツキに起因した発光素子６１１３の輝度ムラを改善して画質を高めることができる。なお、ＴＦＴ６１２５のチャネル長Ｌ1、チャネル幅Ｗ1、ＴＦＴ６１１１のチャネル長Ｌ2、チャネル幅Ｗ2は、Ｌ1／Ｗ1：Ｌ2／Ｗ2＝５〜６０００：１を満たすように設定するとよい。また、両ＴＦＴは同じ導電型を有していると作製工程上好ましい。さらに、ＴＦＴ６１２５には、エンハンスメント型だけでなく、ディプリーション型のＴＦＴを用いてもよい。
【００９１】
なお、本発明を用いて形成された発光装置には、アナログのビデオ信号、デジタルのビデオ信号のどちらを用いてもよい。発光素子に印加される電圧が一定のものであっても、発光素子に流れる電流が一定のものであっても良い。この発光素子に印加される電圧が一定のものは定電圧駆動であり、発光素子に流れる電流が一定のものは定電流駆動である。定電流駆動は、発光素子の抵抗変化によらず、一定の電流が流れる。本実施例は、上記の実施の形態、実施例と自由に組み合わせることができる。
【実施例５】
【００９２】
本実施例では、本発明のゴーグル型表示装置に用いられる発光装置の、駆動回路について説明する。図１１（Ａ）に本実施例の発光装置のブロック図を示す。図１１（Ａ）に示す発光装置は、発光素子を備えた画素を複数有する画素部１１０１と、各画素を選択する走査線駆動回路１１０２と、選択された画素へのビデオ信号の入力を制御する信号線駆動回路１１０３とを有する。
【００９３】
図１１（Ａ）において信号線駆動回路１１０３は、シフトレジスタ１１０４、レベルシフタ１１０５と、バッファ１１０６とを有している。シフトレジスタ１１０４には、クロック信号（ＣＬＫ）、スタートパルス信号（ＳＰ）、切り替え信号（Ｌ／Ｒ）が入力されている。クロック信号（ＣＬＫ）とスタートパルス信号（ＳＰ）が入力されると、シフトレジスタ１１０４においてタイミング信号が生成され、レベルシフタ１１０５に入力される。また切り替え信号（Ｌ／Ｒ）によって、タイミング信号のパルスの出現する順序が切り替わる。
【００９４】
タイミング信号は、レベルシフタ１１０５においてそのパルスの高さが調整され、バッファ１１０６に入力される。バッファ１１０６では、入力されたタイミング信号のパルスに同期して、ビデオ信号（ｖｉｄｅｏ  ｓｉｇｎａｌ）をサンプリングし、信号線を介して画素部１１０１に入力する。
【００９５】
次に、走査線駆動回路１１０２の構成について説明する。走査線駆動回路１１０２は、シフトレジスタ１１０７、バッファ１１０８を有している。また場合によってはレベルシフタを有していても良い。走査線駆動回路１１０２において、シフトレジスタ１１０７にクロック信号ＣＬＫ及びスタートパルス信号ＳＰが入力されることによって、選択信号が生成される。生成された選択信号はバッファ１１０８において緩衝増幅され、対応する走査線に供給される。走査線には、１ライン分の画素のトランジスタのゲートが接続されている。そして、１ライン分の画素のトランジスタを一斉にＯＮにしなくてはならないので、バッファ１１０８は大きな電流を流すことが可能なものが用いられる。
【００９６】
なお、シフトレジスタ１１０４、１１０７の代わりに、例えばデコーダ回路のような信号線の選択ができる別の回路を用いても良い。
【００９７】
次に図１１（Ｂ）に、図１１（Ａ）とは異なる本実施例の発光装置のブロック図を示す。図１１（Ｂ）に示す発光装置は、発光素子を備えた画素を複数有する画素部１１１１と、各画素を選択する走査線駆動回路１１１２と、選択された画素へのビデオ信号の入力を制御する信号線駆動回路１１１３とを有する。
【００９８】
図１１（Ｂ）において信号線駆動回路１１１３は、シフトレジスタ１１１４、ラッチＡ１１１５、ラッチＢ１１１６を有している。シフトレジスタ１１１４には、クロック信号（ＣＬＫ）、スタートパルス信号（ＳＰ）、切り替え信号（Ｌ／Ｒ）が入力されている。クロック信号（ＣＬＫ）とスタートパルス信号（ＳＰ）が入力されると、シフトレジスタ１１１４においてタイミング信号が生成される。また切り替え信号（Ｌ／Ｒ）によって、タイミング信号のパルスの出現する順序が切り替わる。生成したタイミング信号は、一段目のラッチＡ１１１５に順に入力される。ラッチＡ１１１５にタイミング信号が入力されると、該タイミング信号のパルスに同期して、ビデオ信号が順にラッチＡ１１１５に書き込まれ、保持される。なお、本実施例ではラッチＡ１１１５に順にビデオ信号を書き込んでいるが、本発明はこの構成に限定されない。複数のステージのラッチＡ１１１５をいくつかのグループに分け、グループごとに並行してビデオ信号を入力する、いわゆる分割駆動を行っても良い。なおこのときのグループの数を分割数と呼ぶ。例えば４つのステージごとにラッチをグループに分けた場合、４分割で分割駆動すると言う。
【００９９】
ラッチＡ１１１５の全てのステージのラッチへの、ビデオ信号の書き込みが一通り終了するまでの時間を、ライン期間と呼ぶ。実際には、上記ライン期間に水平帰線期間が加えられた期間をライン期間に含むことがある。
【０１００】
１ライン期間が終了すると、２段目のラッチＢ１１１６にラッチ信号（Ｌａｔｃｈ  Ｓｉｇｎａｌ）が供給され、該ラッチ信号に同期してラッチＡ１１１５に保持されているビデオ信号が、ラッチＢ１１１６に一斉に書き込まれ、保持される。ビデオ信号をラッチＢ１１１６に送出し終えたラッチＡ１１１５には、再びシフトレジスタ１１１４からのタイミング信号に同期して、次のビデオ信号の書き込みが順次行われる。この２順目の１ライン期間中には、ラッチＢ１１１６に書き込まれ、保持されているビデオ信号が、信号線を介して画素部１１１１に入力される。
【０１０１】
なお、シフトレジスタ１１１４の代わりに、例えばデコーダ回路のような信号線の選択ができる別の回路を用いても良い。
【実施例６】
【０１０２】
本実施例では、発光装置とＩＣとの接続方法の一実施例について説明する。
【０１０３】
図１２（Ａ）、図１２（Ｂ）に、チップ状のＩＣ（ＩＣチップ）を、画素部が形成された基板に実装する様子を、示す。図１２（Ａ）では、基板６００１上に画素部６００２と、走査線駆動回路６００３とが形成されている。そして、ＩＣチップ６００４で形成された信号線駆動回路が、基板６００１に実装されている。具体的には、ＩＣチップ６００４で形成された信号線駆動回路が、基板６００１に貼り合わされ、画素部６００２と電気的に接続されされている。また６００５はＦＰＣであり、画素部６００２と、走査線駆動回路６００３と、ＩＣチップ６００４で形成された信号線駆動回路とに、それぞれ電源の電位、各種信号等が、ＦＰＣ６００５を介して供給される。
【０１０４】
図１２（Ｂ）では、基板６１０１上に画素部６１０２と、走査線駆動回路６１０３とが形成されている。そして、ＩＣチップ６１０４で形成された信号線駆動回路が、基板６１０１に実装されたＦＰＣ６１０５に更に実装されている。画素部６１０２と、走査線駆動回路６１０３と、ＩＣチップ６１０４で形成された信号線駆動回路とに、それぞれ電源の電位、各種信号等が、ＦＰＣ６１０５を介して供給される。
【０１０５】
ＩＣチップの実装方法は、特に限定されるものではなく、公知のＣＯＧ方法やワイヤボンディング方法、或いはＴＡＢ方法などを用いることができる。またＩＣチップを実装する位置は、電気的な接続が可能であるならば、図１２に示した位置に限定されない。また、図１２では信号線駆動回路のみをＩＣチップで形成した例について示したが、走査線駆動回路をＩＣチップで形成しても良いし、またコントローラ、ＣＰＵ、メモリ等をＩＣチップで形成し、実装するようにしても良い。また、信号線駆動回路や走査線駆動回路全体をＩＣチップで形成するのではなく、各駆動回路を構成している回路の一部だけを、ＩＣチップで形成するようにしても良い。
【０１０６】
なお、駆動回路がＩＣチップとして実装された発光装置において、画素部に用いるトランジスタは、アモルファスシリコンのような非晶質半導体膜で形成されたＴＦＴに限定されない。微結晶半導体膜や多結晶半導体膜を用いたＴＦＴであっても良い。単結晶シリコンを用いて形成されたトランジスタであっても良いし、ＳＯＩを用いたトランジスタであっても良い。また、有機半導体を用いたトランジスタであっても良いし、カーボンナノチューブを用いたトランジスタであってもよい。駆動回路などの集積回路を別途ＩＣチップで形成して実装することで、全ての回路を画素部と同じ基板上に形成する場合に比べて、歩留まりを高めることができ、また各回路の特性に合わせたプロセスの最適化を容易に行なうことができる。
【図面の簡単な説明】
【０１０７】
【図１】本発明のゴーグル型表示装置の斜視図及び断面図。
【図２】本発明のゴーグル型表示装置の斜視図。
【図３】本発明のゴーグル型表示装置に用いられる発光装置のモジュールを示す図と、該モジュールのブロック図。
【図４】画素部の拡大図。
【図５】発光素子の構成を示す図。
【図６】本発明の通信システムの一形態における信号の流れを、模式的に示す図。
【図７】光学系と、パネルと、眼球の位置関係を示す図。
【図８】本発明の通信システムの一実施例を示す図。
【図９】発光装置が有する画素の断面図。
【図１０】発光装置が有する画素の回路図。
【図１１】発光装置のブロック図。
【図１２】ＩＣチップが実装されたパネルの斜視図。
【符号の説明】
【０１０８】
１０１    発光装置
１０２ａ  支持部
１０２ｂ  支持部
１０３    画素部
１０４    筐体
１０５ａ  光学系
１０５ｂ  光学系
１０６    視軸
１０７    眼球
１０８    イヤフォン
２０１    発光装置
２０２    支持部
２０４    筐体
３００    パネル
３０１    プリント配線基板
３０２    画素部
３０３    走査線駆動回路
３０４    信号線駆動回路
３０５    コントローラ
３０６    ＣＰＵ
３０７    メモリ
３０８    電源回路
３０９    送受信回路
３１０    インターフェース（Ｉ／Ｆ）部
３１１    アンテナ用ポート
３１２    ＶＲＡＭ
３１３    ＤＲＡＭ
３１４    フラッシュメモリ
３１５    アンテナ
３１６    ＦＰＣ
４０１    画素部
４０２    画素
５００    基板
５０１    電極（陽極）
５０２    電界発光層
５０３    電極（陰極）
５０４    第１の層
５０５    第２の層
５０６    第３の層
５０７    第４の層
５０８    第５の層
６０１    ゴーグル型表示装置
６０２    移動体
６０３    ＧＰＳ衛星
６０４    無線基地局
６０５    データベース
６０６    通信衛星
７０１    眼球
７０２    第１の光学系
７０３    パネル
７０４    第２の光学系
７０５    凸レンズ
７０６    凸レンズ
７０７    凸レンズ
７０８    水晶体
７０９    網膜
８０１    ゴーグル型表示装置
８０２    ＧＰＳ衛星
８０３    区域
９００    基板
９０１    ＴＦＴ
９０２    ＴＦＴ
９０３    ＴＦＴ
９０４    発光素子
９０５    発光素子
９０６    発光素子
９０７    カバー材
９１３    陽極
９１４    電界発光層
９１５    陰極
９１６    陽極
９１７    電界発光層
９１８    陽極
９１９    電界発光層
６１１０  ＴＦＴ
６１１１  ＴＦＴ
６１１２  容量素子
６１１３  発光素子
６１１４  信号線
６１１５  電源線
６１１６  走査線
６１１７  電源線
６１１８  ＴＦＴ
６１１９  走査線
６１２５  ＴＦＴ
６１２６  配線
１１０１  画素部
１１０２  走査線駆動回路
１１０３  信号線駆動回路
１１０４  シフトレジスタ
１１０５  レベルシフタ
１１０６  バッファ
１１０７  シフトレジスタ
１１０８  バッファ
１１１１  画素部
１１１２  走査線駆動回路
１１１３  信号線駆動回路
１１１４  シフトレジスタ
１１１５  ラッチＡ
１１１６  ラッチＢ
６００１  基板
６００２  画素部
６００３  走査線駆動回路
６００４  ＩＣチップ
６００５  ＦＰＣ
６１０１  基板
６１０２  画素部
６１０３  走査線駆動回路
６１０４  ＩＣチップ
６１０５  ＦＰＣ
【図１】
0004801340.tif 000002
【図２】
0004801340.tif 000003
【図３】
0004801340.tif 000004
【図４】
0004801340.tif 000005
【図５】
0004801340.tif 000006
【図６】
0004801340.tif 000007
【図７】
0004801340.tif 000008
【図８】
0004801340.tif 000009
【図９】
0004801340.tif 000010
【図１０】
0004801340.tif 000011
【図１１】
0004801340.tif 000012
【図１２】
0004801340.tif 000013